(57)【要約】  動物の頭部にほぼ合う形状に変形可能な本体(1) を有し、前記本体は、動物の鼻のまわりを覆って口及び鼻孔用の前方開口部(3) を形成する上部(2) と、２つの耳開口部(5) を設けて動物の頭部後方を覆う後部(4) と、バイザーを動物の頭部にフィットさせる柔軟な圧力ストラップ(6) とを有する犬等の動物用の保護バイザー。
2009516515.tif 000002
【特許請求の範囲】
【請求項１】
犬又は他の動物用の保護バイザーであって、前記動物の頭部にほぼ合う形状に変形可能な本体を有し、前記本体は、前記動物の鼻のまわりを覆うとともに口及び鼻孔用の前方開口部を形成する上部と、２つの耳開口部を有するとともに前記動物の頭部後方を覆う後部と、前記バイザーを前記動物の頭部に快適にフィットさせるように内側に曲がる柔軟な圧力ストラップとを有することを特徴とする保護バイザー。
【請求項２】
請求項１に記載の保護バイザーにおいて、前記圧力ストラップは前記本体の上部から伸びるとともに、バイザーの装着時に頭部を軽く押圧し、もって前記バイザーを鼻から浮かせることを特徴とする保護バイザー。
【請求項３】
請求項２に記載の保護バイザーにおいて、前記圧力ストラップは前記バイザー本体の後部の延長部であり、前記バイザーの内側に折り曲げられて、前記バイザー本体の上部に固定されることを特徴とする保護バイザー。
【請求項４】
請求項１〜３のいずれかに記載の保護バイザーにおいて、前記圧力ストラップは柔軟性を高めるために1つ以上の縦溝を有することを特徴とする保護バイザー。
【請求項５】
請求項４に記載の保護バイザーにおいて、前記縦溝は後頭骨の隆起部とほぼ対応する位置に設けられていることを特徴とする保護バイザー。
【請求項６】
請求項１〜５のいずれかに記載の保護バイザーにおいて、前記上部及び前記後部から伸びた複数のストラップが前記本体の対応部のスロット、バックル等に固定され、もって前記バイザーの輪郭及び開口部の形状を確定することを特徴とする保護バイザー。
【請求項７】
請求項６に記載の保護バイザーにおいて、前記ストラップは顎ストラップ、耳ストラップ及び複数の首輪ストラップを含むことを特徴とする保護バイザー。
【請求項８】
請求項１〜７のいずれかに記載の保護バイザーにおいて、前記本体は柔軟な透明材料からなることを特徴とする保護バイザー。
【請求項９】
請求項８に記載の保護バイザーにおいて、前記材料はポリ塩化ビニルであることを特徴とする保護バイザー。
【請求項１０】
請求項１〜９のいずれかに記載の保護バイザーにおいて、実質的に図を参照して説明した保護バイザー。
【発明の詳細な説明】
【関連出願の相互参照】
【０００１】
本出願は、2005年11月23日に出願したオーストラリア仮特許出願第2005906512号及び2006年４月７日に出願したオーストラリア仮特許出願第2006901835号に基づく優先権を主張し、これらの内容は本明細書の一部を構成する。
【技術分野】
【０００２】
本発明は、動物の頭部、特に目を保護する必要がある治療等に用いて、敏感な目や治療中又は回復中の目をひっかいたり傷つけたりするのを阻止する保護具に関する。
【背景技術】
【０００３】
目の治療中又は治療後の動物に対して、かゆみ等のために目を引っかいたりして傷つけるのを阻止し、完全に回復させるために目を保護することが必要な場合が多い。そのため、人間に用いるのと同じタイプのゴーグルやカラー等の種々の装着具が現在市販されている。ゴーグルは犬の顔に装着するのが難しく、犬をイライラさせることが多い。また、顔や目をひっかいたり傷つけたりするのを阻止するために犬の首に取り付けるエリザベス型カラー又はコーンと呼ばれるバケツ型の装着具も使用されている。これらの装着具はいずれも効果的だが、動物にうまく装着させるのが難しく、不格好であるだけでなく、飲食や睡眠を非常に困難にすることが多い。その上、ドアのような戸口を通り抜けるのも困難になることがある。
【０００４】
普通の動きをほとんど邪魔することなく犬等の動物の目を保護するために、頭部に安全かつ快適にフィットする着脱式のバイザー又は保護具が望まれている。
【０００５】
本発明の目的は改善された動物用バイザーを提供することである。
【発明の開示】
【０００６】
本発明の一態様による犬又は他の動物用の保護バイザーは、動物の頭部にほぼ合う形状に変形可能な本体を有し、前記本体は、動物の鼻のまわりを覆って口及び鼻孔用の前方開口部を形成する上部と、２つの耳開口部を設けて動物の頭部後方を覆う後部と、バイザーが動物の頭部に快適にフィットするように内側に曲がる柔軟な圧力ストラップとを有する。
【０００７】
圧力ストラップは前記本体の後部の延長部であり、前記バイザー内に折り曲げて前記本体の前記上部に取り付けることができる。
【０００８】
バイザーは、本体の上部及び後部から伸びて前記本体の対応する部分に取り付けられ、バイザーとその開口部の形状を決める複数のストラップを有しても良い。本体は柔軟な透明材料からなるのが最も好ましい。本体はストラップを装着するのに必要なスロット又は他の締め付け具を有しても良い。ストラップを動物の鼻や耳のまわりに掛けて、その自由端を本体の対応する部分に取り付けると、平坦な本体は動物の頭部にフィットする形状となる。
【０００９】
圧力ストラップは後頭骨の隆起部の形状に適合し、動物の頭部に快適にフィットするように縦溝を有しても良い。
【００１０】
圧力ストラップは、バイザーを動物の頭部に隙間をもって快適かつ確実に載せるのに十分な反発力を有する構成にしても良い。
【００１１】
バイザーは、動物が一緒に又は別々に身につける首輪に取り付けるための1つ以上の首輪ストラップを有しても良い。本体の上部は、バイザーの長さを調節するための切れ目を有しても良い。上部には適宜通気孔を設けても良い。
【図面の簡単な説明】
【００１２】
本発明を以下の図を参照して説明する。
【図１】組立前の保護バイザーを示す平面図である。
【図２】組み立てた保護バイザーを後ろから見た斜視図である。
【図３】動物の首輪に取り付けられた保護バイザーを示す斜視図である。
【図４】犬に取り付けたバイザーを示す斜視図である。
【図５】組立前の別のバイザーを示す平面図である。
【符号の説明】
【００１３】
１．    本体
２．    上部
３．    前方開口部
４．    後部
５．    耳開口部
６．    圧力ストラップ
７．    溝
８．    顎ストラップ
９．    耳ストラップ
10．    首輪ストラップ
11．    スロット／バックル
12．    タブ
13．    切れ目（任意）
14．    通気孔（任意）
【発明の詳細な説明】
【００１４】
まず図１及び２を参照すると、本発明は、動物、例えば犬への使用や装着に特に好適な保護バイザーを提供する。保護バイザーは、必要十分な重量・体積で適切に保護し得る厚さを有する柔らかいポリ塩化ビニルシートを有し、柔軟な透明材料から切り取った１枚の平板で構成されても良い。保護バイザーは、動物の頭部の形状にほぼ合うように形成された本体１を有する。本体部分は、犬の頭頂部に乗って鼻を覆う上部２を有する。鼻孔と口が楽に出る前方開口部３が形成されるように、バイザーの上部を犬の頭部及び鼻の両側に載せる。バイザー本体はさらに、耳の裏側の後頭部を覆い、耳を快適に出せる２つの耳開口部５を形成する後部４を有する。バイザーの本体はさらに、後部４の延長部として形成でき、組立後のバイザー内に折り曲げられて本体の上部２に固定される圧力ストラップ６を有する。バイザー本体は、上部及び後部から外側に伸び、バイザー本体の丁寧に位置決めされた対応部分に固定される複数のストラップも有する。それにより、本発明のバイザーを動物の頭部に載せた後、前方開口部３及び耳開口部５ができるように、ストラップを頭部に掛けると、バイザーは頭部にフィットする。
【００１５】
バイザー本体は平坦であるのが好ましい。バイザー本体から伸びるストラップを動物の鼻や耳に掛けて、その自由端をバイザー本体の対応する部分に固定すると、バイザーは動物に容易にフィットする。ストラップは顎ストラップ８でも良い。顎ストラップ８を顎の下を通して、対応するスロット11又はバックルに固定すると、バイザー上部は前方開口部３を保持しつつを鼻を覆う。本体はさらにその後部から伸びる耳ストラップ９を有しても良い。耳ストラップ９が耳の下を通って、本体１の上部２の対応するスロット11又はバックルに固定されると、後部４は後頭部を覆うようになる。
【００１６】
圧力ストラップ６は、十分な柔軟性と伸縮性を有するように、縦溝７を有しても良い。それにより、動物の頭頂部を押圧する際、動物（ビーグル犬等）の頭蓋骨にあるようなどんな後頭隆起部でも包み込んで、頭蓋骨の頂部にきちんと乗ることができる。圧力ストラップ６は、バイザーが揺動したり前後左右に動いたりせずに犬の頭部に心地よくフィットするように、軽く適度に圧力を与えることができる。圧力ストラップのさらなる利点は、図３及び４から分かるように、バイザー上部と犬等の動物の頭蓋骨の頂部との間に隙間を設けることである。
【００１７】
バイザー用の追加保持手段として複数の首輪ストラップ10を有しても良い。犬等の動物の首輪のまわりに首輪ストラップを通すことにより、頭部をさらに支持できる。
【００１８】
動物の範囲での使用に十分に対応するために、バイザー本体の上部に、動物の鼻の合わせて長さを調節できる複数の切れ目13を設けても良い。必要であれば、バイザーの上部に複数の通気孔14を設けても良い。
【００１９】
図４に示すように、図１に示す適切なサイズの平坦なバイザーを犬の頭頂部に載せる。バイザーが頭頂部に軽く当るように、圧力ストラップ６を本体１の上部２に形成されたスロットに固定する。顎ストラップ８を下顎の下を通して上部２の反対側に固定すると、頭部とほぼ同形状になった本体は鼻の頭を跨ぎ、前方開口部3が形成されるので、犬は楽に呼吸や食事をすることができる。耳ストラップ９を引くと本体１の後部は後頭部まで下がる。さらに耳ストラップ９を耳の下まで引き、本体上部に設けられたスロット又はバックルに固定する。顎ストラップ及び耳ストラップをしっかり固定すると、首輪ストラップを首輪に取り付けることができる。その結果、本発明のバイザーは頭部に心地よくフィットする。圧力ストラップ６によりバイザーの上部と頭頂部との間に耳ギャップが形成されるので、顎の開閉時にバイザーの動きは抑えられていているが頭部は自由に動ける。
【００２０】
本発明のバイザーの別の例では、犬等の動物に取り付ける前に、図１に示すバイザーを図２に示す形態に予め組み立てても良い。動物の体にほぼ沿ってバイザーを予め組み立てたバイザーを犬の鼻を優しく被せた後、頭に沿ってスライドさせると、耳が耳開口部５から出て、バイザーは頭部に心地よく取り付けられる。首輪ストラップ10を通す首輪を別途設ければ、バイザーは動物に心地よく取り付けられる。バイザーを調整する必要がある場合（例えばバイザーが緩すぎて犬の頭部からずり落ちそうになる場合）、バイザーを一旦外して簡単な調節をし、完璧にフィットするように再度取り付ける。
【００２１】
本発明のバイザーは透明かつ柔軟であるので、犬に取り付けてもほとんど邪魔にならない。取り付けたバイザーは犬の頭部や顔に容易に適合するので、犬はほとんど意識しなくなる。本発明のバイザーにより、快適な視界を保持しつつ犬が目を傷つけるのを阻止でき、目の感染や手術からできるだけ早く回復するのに役立つ。
【００２２】
バイザーの形状及び構造は、本発明の範囲内である限り、種々の動物にフィットするように容易に変更することができる。上記実施例は犬に関するが、種々に変更しても本発明の範囲内である。
【００２３】
本発明の思想又は範囲を逸脱することなく、実施例で具体的に示すように、種々の変更及び／又は修正を行うことができる。従って、あらゆる点で本実施例は例示であり、限定的なものではない。
【図１】
2009516515.tif 000003
【図２】
2009516515.tif 000004
【図３】
2009516515.tif 000005
【図４】
2009516515.tif 000006
【図５】
2009516515.tif 000007
【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
犬又は他の動物用の保護バイザーであって、前記動物の頭部にほぼ合う形状に変形可能な本体を有し、前記本体は、前記動物の頭部のまわりを覆うとともに口及び鼻孔用の前方開口部を形成する上部と、２つの耳開口部を有するとともに前記動物の頭部後方を覆う後部と、前記バイザーを前記動物の頭部に快適にフィットさせるように内側に曲がる柔軟な圧力ストラップとを有することを特徴とする保護バイザー。
【請求項２】
請求項１に記載の保護バイザーにおいて、前記圧力ストラップは前記本体の後部から伸びるとともに、バイザーの装着時に頭部を軽く押圧し、もって前記バイザーを鼻から浮かせることを特徴とする保護バイザー。
【請求項３】
請求項２に記載の保護バイザーにおいて、前記圧力ストラップは前記バイザー本体の後部の延長部であり、前記バイザーの内側に折り曲げられて、前記バイザー本体の上部に固定されることを特徴とする保護バイザー。
【請求項４】
請求項１〜３のいずれかに記載の保護バイザーにおいて、前記圧力ストラップは柔軟性を高めるために1つ以上の縦溝を有することを特徴とする保護バイザー。
【請求項５】
請求項４に記載の保護バイザーにおいて、前記縦溝は後頭骨の隆起部とほぼ対応する位置に設けられていることを特徴とする保護バイザー。
【請求項６】
請求項１〜５のいずれかに記載の保護バイザーにおいて、前記上部及び前記後部から伸びた複数のストラップが前記本体の対応部のスロット、バックル等に固定され、もって前記バイザーの輪郭及び開口部の形状を確定することを特徴とする保護バイザー。
【請求項７】
請求項６に記載の保護バイザーにおいて、前記ストラップは顎ストラップ、耳ストラップ及び複数の首輪ストラップを含むことを特徴とする保護バイザー。
【請求項８】
請求項１〜７のいずれかに記載の保護バイザーにおいて、前記本体は頭部に沿って変形可能な透明材料からなることを特徴とする保護バイザー。
【請求項９】
請求項８に記載の保護バイザーにおいて、前記材料はポリ塩化ビニルであることを特徴とする保護バイザー。
【請求項１０】
請求項１〜９のいずれかに記載の保護バイザーにおいて、前記本体及び前記ストラップはシートを切り取ってなり、前記本体に通気孔が形成されていることを特徴とする保護バイザー。
【請求項１１】
請求項１〜10のいずれかに記載の保護バイザーにおいて、前記本体は、動物の大きさに合わせて前記本体の長さを容易に調節できる切れ目を有することを特徴とする保護バイザー。
【手続補正２】
【補正対象書類名】明細書
【補正対象項目名】０００６
【補正方法】変更
【補正の内容】
【０００６】
本発明の一態様による犬又は他の動物用の保護バイザーは、動物の頭部にほぼ合う形状に変形可能な本体を有し、前記本体は、動物の頭部のまわりを覆って口及び鼻孔用の前方開口部を形成する上部と、２つの耳開口部を設けて動物の頭部後方を覆う後部と、バイザーが動物の頭部に快適にフィットするように内側に曲がる柔軟な圧力ストラップとを有する。
【手続補正３】
【補正対象書類名】明細書
【補正対象項目名】００１９
【補正方法】変更
【補正の内容】
【００１９】
図４に示すように、図１に示す適切なサイズの平坦なバイザーを犬の頭頂部に載せる。バイザーが頭頂部に軽く当るように、圧力ストラップ６を本体１の上部２に形成されたスロットに固定する。顎ストラップ８を下顎の下を通して上部２の反対側に固定すると、頭部とほぼ同形状になった本体は鼻の頭を跨ぎ、前方開口部3が形成されるので、犬は楽に呼吸や食事をすることができる。耳ストラップ９を引くと本体１の後部は後頭部まで下がる。さらに耳ストラップ９を耳の下まで引き、本体上部に設けられたスロット又はバックルに固定する。顎ストラップ及び耳ストラップをしっかり固定すると、首輪ストラップを首輪に取り付けることができる。その結果、本発明のバイザーは頭部に心地よくフィットする。圧力ストラップ６によりバイザーの上部と頭頂部との間に隙間が形成されるので、顎の開閉時にバイザーの動きは抑えられていているが頭部は自由に動ける。
【国際調査報告】
2009516515.tif 000008
2009516515.tif 000009
2009516515.tif 000010